(57)【特許請求の範囲】
【請求項１】
座部(11)を支える所要数の脚部(12a,12b,12c,12d)と、
前部の脚部(12a,12b)間を開放して前方に開放部(15)を設け前記前部の脚部(12a,12b)間以外の脚部間を閉塞する、脚部(12a,12b,12c,12d)に着脱可能な閉塞体(2)と、
を備え、
前記閉塞体(2)を前記脚部(12a,12b,12c,12d)に取着することにより、前記座部(11)の下方には、開放されている前記開放部(15)からテーブルこたつの掛け布団の中の暖気を入れて充満する空間部(20)が形成され、前記座部(11)は前記空間部(20)に入った前記暖気で下側から暖められるようにした、
テーブルこたつ用椅子。
【請求項２】
閉塞体がシートで形成されている、請求項１記載のテーブルこたつ用椅子。
【請求項３】
座部を支える所要数の脚部のうち、前部の脚部間を開放して開放部を設け、前部の脚部間以外の脚部間を閉塞体で閉塞して前記座部の下方に前記開放部以外は閉塞体で囲まれた空間部を形成し、
テーブルこたつの掛け布団の中の暖気を前部の脚部間の開放部から座部下側の空間部にを入れて座部を下側から暖めるようにした、
テーブルこたつ用椅子の座部の温め方法。
【発明の詳細な説明】
【技術分野】
【０００１】
本発明は、テーブルこたつ用椅子及び座部の温め方法に関するものである。更に詳しくは、テーブルこたつに使用され、暖気をテーブルこたつの外部へ逃がさないようにする椅子において、足下に余裕があり、使用者が膝を曲げて足を座部下の空間に入れるなど楽な姿勢がとりやすく、暖気で座部を下側から温めることができるものに関する。
【背景技術】
【０００２】
近年、特に洋室用のこたつとして、使用者が椅子に座った状態で入ることができる、いわゆるテーブルこたつ（洋式テーブルこたつともいう）が使用されるようになってきた。
このテーブルこたつは、椅子の脚部の隙間から暖気が逃げやすいため、その対策として掛け布団や椅子に、暖気を逃がさないようにするための様々な工夫が施されている。このような工夫が施された椅子としては、例えば特許文献１に記載された「テーブルこたつ用椅子」がある。
【０００３】
このテーブルこたつ用椅子は、着座部及びそれを支える複数の脚部を備えて構成される椅子本体と、椅子本体に設けられ、前方側の脚部間から周囲へ通り抜ける通気部分を開閉可能に塞ぐ閉塞部を有しており、脚部の設置がもたらす前方側の脚部間から周囲へ通り抜ける通気部分を、開閉可能な閉塞部で塞ぐようにした。これにより、テーブルこたつ使用時には、閉塞部で脚部間を塞いで足元から暖気が逃げるのを防ぎ、通常のテーブル椅子使用時には、閉塞部を格納して足元の通気性が確保されるようにしたものである。
【０００４】
【特許文献１】特開２００６−６１２１０
【発明の開示】
【発明が解決しようとする課題】
【０００５】
しかしながら、前記テーブルこたつ用椅子には、次のような課題があった。
まず、こたつ用の椅子として使用するときには、足下の脚部間が閉塞部で塞がれているので、例えば膝を曲げて足を座部下の空間に入れるなどの動作ができず、足の動作が制限されるので楽な姿勢がとりにくかった。
また、座部は、掛け布団の内部に入れておかない限り外気にさらされており、使用者が座ったときに冷たいことがあった。さらには、シャッター等の閉塞部は椅子に取り付けたままであるので、椅子の重量が重く、取り扱いに不便であった。
【０００６】
（本発明の目的）
そこで本発明の目的は、こたつ用の椅子として使用するときには、足下に余裕があり、膝を曲げて足を座部下の空間に入れるなど、楽な姿勢がとりやすく、座部を下側から温めることができるテーブルこたつ用椅子を提供することである。
また、本発明の他の目的は、前記目的に加えて、軽量で取り扱いがしやすいテーブルこたつ用椅子を提供することである。
【課題を解決するための手段】
【０００７】
上記課題を解決するために本発明が講じた手段は次のとおりである。
本発明は、
座部を支える所要数の脚部と、
前部の脚部間を開放して前方に開放部を設け前記前部の脚部間以外の脚部間を閉塞する、脚部に着脱可能な閉塞体と、
を備え、
前記閉塞体を前記脚部に取着することにより、前記座部の下方には、開放されている前記開放部からテーブルこたつの掛け布団の中の暖気を入れて充満する空間部が形成され、前記座部は前記空間部に入った前記暖気で下側から暖められるようにした、
テーブルこたつ用椅子である。
【０００８】
本発明のテーブル炬燵用椅子は、閉塞体がシートで形成されているのが、より好ましい。
【０００９】
本発明は、
座部を支える所要数の脚部のうち、前部の脚部間を開放して開放部を設け、前部の脚部間以外の脚部間を閉塞体で閉塞して前記座部の下方に前記開放部以外は閉塞体で囲まれた空間部を形成し、
テーブルこたつの掛け布団の中の暖気を前部の脚部間の開放部から座部下側の空間部にを入れて座部を下側から暖めるようにした、
テーブルこたつ用椅子の座部の温め方法である。
【００１０】
本明細書および特許請求の範囲にいう「シート」としては、通気性のない合成樹脂製のシートが主に採用されるが、その他、若干の通気性を有する布、または通気性がないように加工を施した布等を採用することもできる。
また、閉塞体の材料としては、前記シートの他、通気性がないかほとんどない板状体を採用することもできる。板状体としては、合成樹脂製や木製のものが主に採用されるが、軽量なアルミニウムなど金属製のものを採用することもできる。
【００１１】
（作用）
本発明に係るテーブルこたつ用椅子の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１２】
まず、使用者がテーブルこたつ用椅子（以下、単に椅子という場合がある）をその前部がテーブルこたつの掛け布団の中に入るようにして入れ、座部(11)に座る。このとき、掛け布団が椅子の側部に垂れるようにして、閉塞体(2)の側部と掛け布団の間に隙間が生じないようにする。
【００１３】
椅子の各脚部(12a,12b,12c,12d)間は、前部の脚部間(12a,12b)を開放した状態で、それ以外の脚部間の座部(11)から各脚部(12a,12b,12c,12d)の下端部（床と接触する部分）までが閉塞体(2)によって閉塞されている。閉塞体(2)が設けられている部分は、通気できないかほとんど通気できないようになっている。
【００１４】
テーブルこたつの掛け布団の中の暖気は、外部へ漏れることなく、閉塞体(2)が設けられていない前部の脚部(12a,12b)間の開放部(15)から、座部(11)下方の閉塞体(2)で囲まれた空間部(20)に入り充満する。空間部(20)内の暖気は、閉塞体(2)によって通気が止められ外部へ漏れることはない。
【００１５】
また、前部の脚部間(12a,12b)は開放されているので、足下に余裕があり、例えば膝を曲げて開放部(15)から足を座部(11)下の空間部(20)に入れるなど、比較的自由に足を動かすことができ、楽な姿勢がとりやすい。
さらには、前記したように開放された前部の脚部(12a,12b)間から、座部(11)下側の空間部(20)に暖気が入るので、座部(11)が下側（裏側）から暖められる。
【００１６】
閉塞体(2)が脚部(12a,12b,12c,12d)に着脱可能である椅子は、テーブルこたつをこたつとして使用しない時期には閉塞体(2)を取り外すことにより、通常の椅子として使用することができる。また、その際は閉塞体(2)の重さの分だけ軽量になる。
【００１７】
さらに、閉塞体(2)がシートで形成されている椅子は、閉塞体(2)を取り付けた状態で使用するときも、比較的軽量である。
【発明の効果】
【００１８】
（ａ）本発明のテーブルこたつ用椅子は、椅子の前部の脚部間は開放されているので、足下に余裕があり、例えば膝を曲げて開放部から足を座部下の空間に入れるなど、比較的自由に足を動かすことができ、楽な姿勢がとりやすい。
【００１９】
（ｂ）本発明のテーブルこたつ用椅子は、開放された前部の脚部間から、座部下側の空間部に暖気が入るようになっているので、少なくとも前部の脚部がテーブルこたつの掛け布団の中に入っていれば、座部が下側から暖められ、使用者が座ったときに座部を冷たく感じることを防止できる。
【００２０】
（ｃ）閉塞体が脚部に着脱可能であるので、テーブルこたつをこたつとして使用しない時期には閉塞体を取り外すことにより、通常の椅子として使用することができる。また、その際は閉塞体の重さの分だけ軽量になるので、取り扱いがしやすい。
【００２１】
（ｄ）閉塞体がシートで形成されているものは、閉塞体を取り付けた状態で使用するときも、比較的軽量であるので、取り扱いがしやすい。
【発明を実施するための最良の形態】
【００２２】
本発明を図に示した実施例に基づき詳細に説明する。
〔実施の形態〕
【００２３】
図１は本発明に係るテーブルこたつ用椅子の一実施の形態を示す斜視図、
図２はテーブルこたつ用椅子を下側からみた斜視説明図である。
【００２４】
テーブルこたつ用椅子Ｃ１は、椅子本体１と、閉塞体である閉塞シート２を備えている。椅子本体１は、座部１１を備えている。座部１１は、下部側の四角形状の枠（符号省略）の上側にクッション１１０を設けた構造である。
【００２５】
座部１１の下側の枠の四隅には、座部１１を支える所要数の木製の脚部１２ａ、１２ｂ、１２ｃ、１２ｄが設けられている。後部側の脚部１２ｃ、１２ｄは、それぞれ座部１１より上方へ延長され、それらの上部には背板１３が取り付けられている。脚部１２ｃ、１２ｄのうち座部１１より上側の部分と背板１３により背もたれ（符号省略）が形成されている。
前部の脚部１２ａ、１２ｂの後面側には、脚部１２ａ、１２ｂの全高にわたって面ファスナ１４が接着されている。
【００２６】
閉塞シート２は、通気性を持たない長方形状の合成樹脂製シートで形成されている。閉塞シート２の幅（図１で上下方向の長さ）は、脚部１２ａ、１２ｂ、１２ｃ、１２ｄの座部１１の下面から下の長さとほぼ同じに設定されている。閉塞シート２は、長手方向の両端縁に、前記脚部１２ａ、１２ｂに設けられている面ファスナ１４と接着・剥離可能な面ファスナ１４ａが全幅にわたり設けられている。
【００２７】
閉塞シート２は、前部の脚部１２ａ、１２ｂ間を開放して開放部１５を設け、それ以外の脚部１２ｂ、１２ｃ間、脚部１２ｃ、１２ｄ間及び脚部１２ｄ、１２ａ間を閉塞するようにして、両端部を脚部１２ａ、１２ｂに外側から巻き付け、各面ファスナ１４ａを面ファスナ１４とそれぞれ接着することにより取り付けられている。これにより、座部１１の下方には、前方が開放部１５によって開口し、残りの三方が閉塞シート２で囲まれた空間部２０が形成される。閉塞シート２は、必要に応じて脚部１２ａ、１２ｂ、１２ｃ、１２ｄから取り外すこともできる。
【００２８】
（作用）
図３は使用状態を示す斜視説明図、
図４は使用状態を示す断面説明図である。
図１ないし図４を参照してテーブルこたつ用椅子Ｃ１の作用を説明する。
【００２９】
まず、使用者がテーブルこたつ用椅子Ｃ１をその前部がテーブルこたつ３の掛け布団３０の中に入るようにして入れ、座部１１に座る（図３参照）。このとき、掛け布団３０がテーブルこたつ用椅子Ｃ１の側部に垂れるようにして、閉塞シート２の両側部と掛け布団３０の間に隙間が生じないようにする。
【００３０】
テーブルこたつ用椅子Ｃ１の各脚部１２ａ、１２ｂ、１２ｃ、１２ｄ間は、前部の脚部１２ａ、１２ｂ間を開放し、それ以外の脚部１２ｂ、１２ｃ間、脚部１２ｃ、１２ｄ間及び脚部１２ｄ、１２ａ間の座部１１から各脚部１２ａ、１２ｂ、１２ｃ、１２ｄの下端部（床と接触する部分）までが閉塞シート２によって閉塞されている。これにより、閉塞シート２が設けられている部分は、通気できないかほとんど通気できないようになっている。
【００３１】
各テーブルこたつ用椅子Ｃ１を前記のようにしてテーブルこたつ３の掛け布団３０の中に入れれば、テーブルこたつ３内部の暖気は、外部へ漏れることなく、閉塞シート２が設けられていない前部の脚部１２ａ、１２ｂ間の開放部１５から、座部１１下方の閉塞体で囲まれた空間部２０に入り充満する。空間部２０内の暖気は、閉塞シート２によって通気が止められ外部へ漏れることはない。
【００３２】
また、前部の脚部１２ａ、１２ｂ間は開放され開放部１５が設けられているので、足下に余裕があり、例えば膝を曲げて開放部１５から足を座部１１の下の空間部２０に入れるなど、比較的自由に足を動かすことができ、楽な姿勢がとりやすい。
さらには、前記したように前部の脚部１２ａ、１２ｂ間の開放部１５から、座部１１の下側の空間部２０に暖気が入るので、座部１１が下側（裏側）から暖められる。なお、座部１１を効果的に暖めるには、座部１１を熱が伝わりやすい材料で形成するのが好ましい。これによれば、使用者が座部１１に座ったときに冷たく感じることがなく、快適に使用できる。
【００３３】
閉塞シート２は、必要に応じて脚部１２ａ、１２ｂ、１２ｃ、１２ｄから取り外すことができる。これにより、テーブルこたつ３をこたつとして使用しない時期（通常のテーブルとして使用する時期）には閉塞シート２を取り外すことにより、通常の椅子として使用することができる。また、その際は閉塞シート２の重さの分だけ軽量になり、子供や女性あるいは高齢者でも取り扱いがしやすい。なお、テーブルこたつ用椅子Ｃ１では、閉塞シート２が合成樹脂製シートで形成されているので、閉塞シート２を取り付けた状態で使用するときも比較的軽量であり、取り扱いに支障を来すことはない。
【００３４】
図５は本発明に係るテーブルこたつ用椅子の他の実施の形態を示す斜視図である。
本実施の形態のテーブルこたつ用椅子Ｃ２は、椅子本体１ａと閉塞シート２により構成されている。椅子本体１ａは、脚部１２ａ、１２ｂ、１２ｃ、１２ｄが、十字状に組まれた座台１０の各先端部に固定され、座台１０の中心部に設けられている軸受具１６を介して座板１１１が水平方向（矢印方向）に回転可能に取り付けられており、座板１１１の上面にはクッション１１２が取り付けられ、座板１１１の後部側には、背もたれ部１３ａが形成されている構造である。
【００３５】
脚部１２ａ、１２ｂ、１２ｃ、１２ｄには、前記テーブルこたつ用椅子Ｃ１と同様に閉塞シート２が着脱可能に取り付けられている。
また、前記座台１０の上面と座板１１１の下面との隙間は、座板１１１の回転に支障のない限度でごく狭くなるように形成されており、開放部１５から空間部２０に入った暖気がこの隙間から外部へ漏れにくいようにしている。なお、座台１０の上面に暖気を遮断する閉塞部材を設けることもできる。
【００３６】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００３７】
【図１】本発明に係るテーブルこたつ用椅子の一実施の形態を示す斜視図。
【図２】テーブルこたつ用椅子を下側からみた斜視説明図。
【図３】使用状態を示す斜視説明図。
【図４】使用状態を示す断面説明図。
【図５】本発明に係るテーブルこたつ用椅子の他の実施の形態を示す斜視図。
【符号の説明】
【００３８】
Ｃ１  テーブルこたつ用椅子
１  椅子本体
１１  座部
１１０  クッション
１２ａ  脚部
１２ｂ  脚部
１２ｃ  脚部
１２ｄ  脚部
１３  背板
１４  面ファスナ
１４ａ  面ファスナ
１５  開放部
２  閉塞シート
２０  空間部
Ｃ２  テーブルこたつ用椅子
１ａ  椅子本体
１１１  座板
１１２  クッション
１０  座台
１６  軸受具
１２ａ  脚部
１２ｂ  脚部
１２ｃ  脚部
１２ｄ  脚部
１３ａ  背もたれ部
１５  開放部
２  閉塞シート
２０  空間部
３  テーブルこたつ
３０  掛け布団
【図１】
0004707120.tif 000002
【図２】
0004707120.tif 000003
【図３】
0004707120.tif 000004
【図４】
0004707120.tif 000005
【図５】
0004707120.tif 000006